(57)【要約】【課題】首部の高さが３ｍｍ以下の光ファイバケーブルに余長を的確に設定できる光ファイバケーブルを提供する。【解決手段】抗張力体１１の外周にシース１２を施した支持線部１３と、光ファイバテープ心線１４等を収容するケーブル部１５と、支持線部１３とケーブル部１５を間隔をおいて連結する首部１６からなり、支持線部１３に対してケーブル部１５が余長を持つように、かつ、支持線部１３とケーブル部１５をオフセットさせて首部１６で連結したものである。【選択図】図１
2007127723.tif 000002
【特許請求の範囲】
【請求項１】
抗張力体の外周にシースを施した支持線部と、光ファイバテープ心線或いは光ファイバを収容するケーブル部と、支持線部とケーブル部を間隔をおいて連結する首部からなり、支持線部に対してケーブル部が余長を持つように首部で連結される光ファイバケーブルにおいて、支持線部とケーブル部をオフセットさせて首部で連結することを特徴とする光ファイバケーブル。
【請求項２】
首部は、支持線部に対してケーブル部が所定の余長を付与すべく径の異なる巻き取りドラムで、支持線部とケーブル部を巻き取られるときの支持線部とケーブル部の段差のあるまま連結するよう支持線部とケーブル部をオフセットして連結する請求項１記載の光ファイバケーブル。
【請求項３】
支持線部とケーブル部のオフセット量は、支持線部とケーブル部を巻き取られるときのドラムの段差と等しい請求項１または２記載の光ファイバケーブル。
【請求項４】
首部は、一方が支持線部のシースの中心に連結され、他方がケーブル部の中心に対してオフセットした位置に連結される請求項１〜３のいずれかに記載の光ファイバケーブル。
【請求項５】
首部は、一方がケーブル部の中心に連結され、他方が支持線部のシースの中心に対してオフセットした位置に連結される請求項１〜３のいずれかに記載の光ファイバケーブル。
【発明の詳細な説明】
【技術分野】
【０００１】
本発明は、支持線部とケーブル部とからなる架空用の光ファイバケーブルに係り、特に、支持線部に対してケーブル部を、余長を持たせて首部で連結した光ファイバケーブルに関するものである。
【背景技術】
【０００２】
一般住宅内への引き落としに使うドロップケーブル（光ファイバケーブル）は、作業の簡易さ、低価格化などが求められ、ＳＳＷ型等の自己支持ケーブル構造と比べて、使用用途に適するように細径・軽量化が求められている。
【０００３】
この架空用の光ファイバケーブル２０は、図５（ａ）に示すように抗張力体２１の外周にシース２２を施した支持線部２３と、光ファイバテープ心線２４を１枚または２枚以上収容する断面略長方形状のケーブル部２５とが、首部２６で連結されて構成され、細径化のために、支持線部で３ｍｍφ、ケーブル部で幅が３ｍｍ、高さが５ｍｍで、支持線部とケーブル部を繋ぐ首部の高さが３ｍｍ以下にされている。
【０００４】
この光ファイバケーブル２０は、架空時にケーブル部２５に張力がかからないよう、またケーブル部２５の光ファイバを活線状態で、任意の光ファイバを分岐させるためには、支持線部２３に対してケーブル部に、０．１〜０．５％程度の余長を持たせる必要がある。このためには首部２６は、長さ方向に連続させるのではなく、間隔をおいてケーブル部２５と支持線部２３を連結するようにしている。
【０００５】
このためには、図５（ｂ）に示すように、巻き取り径の異なる余長入りプーリ２８を用い、径の小さなプーリ２８ｓで支持線部２３を巻き取り、径の大きなプーリ２８ｍでケーブル部２５を巻き取ることで、両者の円周長の違いで余長を付与するようにしている（特許文献１、２）。
【０００６】
【特許文献１】特開平１１−１１９０６９号公報
【特許文献２】特開２００１−２８１５１０号公報
【発明の開示】
【発明が解決しようとする課題】
【０００７】
しかしながら、首部２６は、余長入りプーリ２８にケーブル部２５と支持線部２３が巻き付けた時点で曲げられるため、首部２６の長さは、段差以上の長さを必要とし、余長率が大きくなると、その分、首部２６の長さも余長率に合わせて長くする必要がある。また、余長入りプーリ２８で所定の余長を付与しても、首部２６は図５（ａ）のように元の形状に戻るため、設定した余長になる保証はない。
【０００８】
また、特許文献１、２に示されるようなＳＳＷ型等の自己支持ケーブルにおいては、ケーブルの径も大きいため、首部の長さも長く支障はないが、ドロップケーブルでは、支持線部の径が３ｍｍ、首部の長さ３ｍｍ以下となるため、的確な余長を持たせることは困難となる。
【０００９】
そこで、本発明の目的は、上記課題を解決し、首部の高さが３ｍｍ以下の光ファイバケーブルに余長を的確に設定できる光ファイバケーブルを提供することにある。
【課題を解決するための手段】
【００１０】
上記目的を達成するために請求項１の発明は、抗張力体の外周にシースを施した支持線部と、光ファイバテープ心線或いは光ファイバを収容するケーブル部と、支持線部とケーブル部を間隔をおいて連結する首部からなり、支持線部に対してケーブル部が余長を持つように首部で連結される光ファイバケーブルにおいて、支持線部とケーブル部をオフセットさせて首部で連結することを特徴とする光ファイバケーブルである。
【００１１】
請求項２の発明は、首部は、支持線部に対してケーブル部が所定の余長を付与すべく径の異なる巻き取りドラムで、支持線部とケーブル部を巻き取られるときの支持線部とケーブル部の段差のあるまま連結するよう支持線部とケーブル部をオフセットして連結する請求項１記載の光ファイバケーブルである。
【００１２】
請求項３の発明は、支持線部とケーブル部のオフセット量は、支持線部とケーブル部を巻き取られるときのドラムの段差と等しい請求項１または２記載の光ファイバケーブルである。
【００１３】
請求項４の発明は、首部は、一方が支持線部のシースの中心に連結され、他方がケーブル部の中心に対してオフセットした位置に連結される請求項１〜３のいずれかに記載の光ファイバケーブルである。
【００１４】
請求項５の発明は、首部は、一方がケーブル部の中心に連結され、他方が支持線部のシースの中心に対してオフセットした位置に連結される請求項１〜３のいずれかに記載の光ファイバケーブルである。
【発明の効果】
【００１５】
本発明によれば、支持線部とケーブル部とをオフセットさせて首部で連結するため、余長入りプーリで巻き取って余長を入れる際に、そのオフセットされた状態で支持線部とケーブル部を巻き取って余長を付与できるため余長率を的確に付与できるという優れた効果を発揮するものである。
【発明を実施するための最良の形態】
【００１６】
以下、本発明の好適な一実施の形態を添付図面に基づいて詳述する。
【００１７】
図１（ａ）において、１０は、本発明の光ファイバケーブルを示し、抗張力体１１の外周にシース１２を施した支持線部１３と、光ファイバテープ心線１４を１枚または２枚以上収容する断面略長方形状のケーブル部１５とが、首部１６で後述するようにオフセットされた状態で連結されて押出機（図示せず）にて連続的に製造される。このケーブル部１５には、収容される光ファイバテープ心線１４の上下（図では左右）に位置してテンションメンバ１７が設けられる。
【００１８】
光ファイバケーブル１０の製造は、押出機から光ファイバケーブル断面形状をしたダイスを通してポリエチレンを押し出し、そのポリエチレンで、通線される抗張力体１１、光ファイバテープ心線１４、テンションメンバ１７を被覆して製造する。
【００１９】
この際、首部１６に位置して、３０Ｗ以上のＣＯ2 レーザまたはＹＡＧレーザを用いてレーザ光を照射して、スリットを形成して、首部１６が例えば２０ｃｍ間隔で支持線部１３とケーブル部１５とを間隔をおいて連結するようになっている。
【００２０】
ドロップケーブルに使用される光ファイバケーブル１０は、支持線部１３が３ｍｍφ、ケーブル部１５が、幅３ｍｍ、高さ５ｍｍ、首部１６の高さａが３ｍｍ以下にされ、レーザ光の照射にて不要な首部１６を除去できるため、間隔をおいた首部１６を形成することが可能となる。
【００２１】
さて、支持線部１３とケーブル部１５の長さ方向の長さ比は、１：１．００１以上、１：１．００５以下としてケーブル部１５に余長を持たせるために、図１（ｂ）に示すように径の異なる余長入りプーリ１８で巻き取るようにされ、径の小さなプーリ１８ｓが、支持線部１３を巻き取り、径の大きなプーリ１８ｍがケーブル部１５を巻き取り、その円周長の相違が余長となる。
【００２２】
このように支持線部１３とケーブル部１５とがオフセットした状態で余長入りプーリ１８に巻き取られ、首部１６は、そのオフセットした状態、すなわち段差のあるままで、支持線部１３とケーブル部１５とを連結するようなダイス形状にされて押し出し成形される。
【００２３】
この際、首部１６は、一方が支持線部１３のシース１２の中心に連結され、他方がケーブル部１５の中心に対してオフセットした下側の位置に連結される。
【００２４】
押出機から余長入りプーリ１８で巻き取られた光ファイバケーブル１０は、図示していないが水槽を通して冷却された後、巻き取りボビン等に巻き取られ、図２に示したような光ファイバケーブル１０が製造される。
【００２５】
図３は、本発明の他の実施の形態を示し、首部１６の一方がケーブル部１５の中心に連結され、他方が支持線部１３のシース１２の中心に対してオフセットした下側の位置に連結するようにした光ファイバケーブル１０を示したものである。
【００２６】
図４は、本発明のさらに他の実施の形態を示したもので、ケーブル部１５ａの断面形状を円形に形成し、そのケーブル部１５ａ内に、一芯乃至多芯の光ファイバ（図示せず）を収容し、首部１６がオフセットして支持線部１３とケーブル部１５ａを連結した形態を示したものである。
【図面の簡単な説明】
【００２７】
【図１】本発明の一実施の形態を示す断面図である。
【図２】図１の光ファイバケーブルの全体斜視図である。
【図３】本発明の他の実施の形態を示す断面図である。
【図４】本発明の他の実施の形態を示す断面図である。
【図５】従来例を示す断面図である。
【符号の説明】
【００２８】
１０  光ファイバケーブル
１１  抗張力体
１２  シース
１３  支持線部
１４  光ファイバテープ心線
１５  ケーブル部
１６  首部
１８  余長入りプーリ
【図１】
2007127723.tif 000003
【図２】
2007127723.tif 000004
【図３】
2007127723.tif 000005
【図４】
2007127723.tif 000006
【図５】
2007127723.tif 000007